(57)【要約】【課題】  筐体状の取付部にスピーカー線とアース線を挿入しやすく、筐体状の取付部の前部開口にスピーカー線とアース線とを取り付ける際に前部開口を開閉するときに横にスライドして取り付けることで指が痛くなることのないスピーカー線の接続構造を提供する。【解決手段】  スピーカー７のスピーカー線８とアース線９とを取り付けるために、リアパネル１に設けられた左右一対の接続端子４、５を覆うように取り付けられた筐体状の取付部２は、左右に長く形成され、前面に設けられた横長の大開口部２ａに開閉ドア状体３が左右移動可能に配設され、更にこの開閉ドア状体３には左右一対の接続端子４、５に対応する箇所に左右一対の前部開口３ｂ、３ｃが形成され、開閉ドア状体３の後向き側壁３ｄと左右一対の接続端子４、５の何れか一方との間にスプリング６が介在されていている。【選択図】  図２
2005108479.tif 000002
【特許請求の範囲】
【請求項１】
スピーカーのスピーカー線とアース線とを、リアパネルに設けられた左右一対の接続端子を覆うように取り付けられた筐体状の取付部の左右一対の前部開口にそれぞれ差し込んだ後に、前記前部開口内でこれらの線を前記左右一対の接続端子に押圧して取り付けるようにしたスピーカー線の接続構造において、前記筐体状の取付部は、左右に長く形成され、前面に設けられた横長の大開口部に開閉ドア状体が左右移動可能に配設され、更にこの開閉ドア状体には前記左右一対の接続端子に対応する箇所に左右一対の前部開口が形成され、前記開閉ドア状体の後向き側壁と前記左右一対の接続端子の何れか一方との間にスプリングが介在されていて、前記開閉ドア状体の左右一対の前部開口が開いた状態で前記スピーカーのスピーカー線とアース線とが挿入された後に前記スプリングの付勢力で前記開閉ドア状体が前記左右一対の接続端子側に移動され、前記開閉ドア状体の左右一対の前部開口の開口縁と前記左右一対の接続端子の側面との間に、前記スピーカーのスピーカー線とアース線とが押圧保持されて前記左右一対の接続端子と接続された状態で前記筐体状の取付部に取り付けられるように構成したことを特徴とするスピーカー線の接続構造。
【請求項２】
スピーカーのスピーカー線とアース線とを、リアパネルに設けられた左右一対の接続端子を覆うように取り付けられた筐体状の取付部の左右一対の前部開口にそれぞれ差し込んだ後に、前記前部開口内でこれらの線を前記左右一対の接続端子に押圧して取り付けるようにしたスピーカー線の接続構造において、前記筐体状の取付部は、左右に長く形成され、前面に設けられた横長の大開口部に開閉ドア状体が左右移動可能に配設され、更にこの開閉ドア状体には前記左右一対の接続端子に対応する箇所に左右一対の前部開口が形成され、前記開閉ドア状体の一方側縁部と前記左右一対の接続端子の何れか一方との間に弾性体が介在されていて、前記開閉ドア状体の左右一対の前部開口が開いた状態で前記スピーカーのスピーカー線とアース線とが挿入された後に前記弾性体の付勢力で前記開閉ドア状体が前記左右一対の接続端子側に移動され、前記開閉ドア状体の左右一対の前部開口の開口縁と前記左右一対の接続端子の側面との間に、前記スピーカーのスピーカー線とアース線とが押圧保持されて前記左右一対の接続端子と接続された状態で前記筐体状の取付部に取り付けられるように構成したことを特徴とするスピーカー線の接続構造。
【請求項３】
前記左右一対の接続端子における前記スピーカーのスピーカー線とアース線とが接する側に鋸歯状の受け止め面が形成されている請求項２に記載のスピーカー線の接続構造。
【請求項４】
前記開閉ドア状体の一方の前部開口に、前記スピーカーのスピーカー線もしくはアース線のいずれか一方を仮止めするための係止溝が形成されている請求項２又は３に記載のスピーカー線の接続構造。
【請求項５】
スピーカーのスピーカー線とアース線とを、リアパネルに設けられた左右一対の接続端子を覆うように取り付けられた筐体状の取付部の左右一対の前部開口にそれぞれ差し込んだ後に、前記前部開口内でこれらの線を前記左右一対の接続端子に押圧して取り付けるようにしたスピーカー線の接続構造において、前記筐体状の取付部は、左右一対設けられ、前面に設けられた開口部に開閉ドア状体が左右移動可能にそれぞれ配設され、更にこれらの開閉ドア状体には前記左右一対の接続端子に対応する箇所にそれぞれ前部開口が形成され、前記開閉ドア状体の後向き側壁と前記左右一対の接続端子のそれぞれとの間にスプリングが介在されていて、前記開閉ドア状体のそれぞれの前部開口が開いた状態で前記スピーカーのスピーカー線とアース線とがそれぞれ挿入された後に前記スプリングの付勢力で前記開閉ドア状体が前記左右一対の接続端子側にそれぞれ移動され、前記開閉ドア状体のそれぞれの前部開口の開口縁と前記左右一対の接続端子の各側面との間に、前記スピーカーのスピーカー線とアース線とが押圧保持されて前記左右一対の接続端子と接続された状態で前記左右一対の筐体状の取付部にそれぞれ取り付けられるように構成したことを特徴とするスピーカー線の接続構造。
【発明の詳細な説明】
【技術分野】
【０００１】
本発明は、スピーカーのスピーカー線とアース線とを、リアパネルに設けられた左右一対の接続端子を覆うように取り付けられた筐体状の取付部の左右一対の前部開口にそれぞれ差し込んだ後に、前部開口内でこれらの線を左右一対の接続端子に押圧して取り付けるようにしたスピーカー線の接続構造に関するものである。
【背景技術】
【０００２】
従来、この種のスピーカー線の接続構造は、例えば、図７に示すように、リアパネル１０１に設けられた左右一対の小筐体状の取付部１０２、１０３のそれぞれの前部開口１０２ａ、１０３ａにスピーカー１０４のスピーカー線１０５とアース線１０６を差し込むときに、この取付部１０２、１０３のそれぞれ左右端部に設けられた摘まみ１０６、１０７をスプリング１０８、１０８の付勢力に抗して一つずつ後側に押して、前部開口１０２ａ、１０３ａの開口度合いを拡げてから、前部開口１０２ａ、１０３ａにスピーカー線１０５とアース線１０６を１本ずつ差し込んだ後に、この摘まみ１０３、１０７を一つずつ離すと、摘まみがスプリング１０８、１０８の付勢力で前側に移動して前部開口１０２ａ、１０３ａの開口度合いを狭めてこれらのスピーカー線１０５とアース線１０６を１本ずつ挟持して取り付けるようにしていた。
【０００３】
ところが、摘まみ１０６、１０７は左右一対設けられているので、これらの摘まみ１０６、１０７を一つずつ押して前部開口１０２ａ、１０３ａの度合いを一つずつ拡げて、スピーカー線１０５とアース線１０６を１本ずつ挿入しなくてはならいので、摘まみ１０６、１０７を押す必要があり、この押す際に指が痛くなり、手間を要するという問題があった。
また、前部開口１０２ａ、１０３ａを開くときに、摘まみ１０６、１０７を押した状態でスピーカー線１０５とアース線１０６を挿入しなくてならないので、挿入しにくいという問題があった。
【０００４】
第１の従来技術を図８、図９に示す。板状の接触部２１１を有するターミナル２１２と、挿入された導線２１３を接触部２１１に圧接させる押圧手段２１４と、ターミナル２１２及び押圧手段２１４を収容するハウジング２１５とを備え、ターミナル２１２の後方部をハウジング２１５の背面から突出させ、ハウジング背面のターミナル２１２周縁に密閉用凹部２１８を設け、密閉用凹部２１８内に合成樹脂を固着させ、ターミナル２１２とハウジング２１５との間の隙間を密閉する。（例えば、特許文献１参照）。
ところが、これにおいては、押圧つまみ２２３をおさなくてはならないので、押す際に指が痛くなり、手間を要するという問題があった。また、指で押圧つまみ２２３を押した状態で導線２１３を挿入しなくてはならないので、挿入しにくいという問題があった。
【０００５】
【特許文献１】特開２００２−３２４５９７号公報
【発明の開示】
【発明が解決しようとする課題】
【０００６】
本発明は、上記従来の問題を解消し、筐体状の取付部にスピーカー線とアース線を挿入しやすく、この筐体状の取付部の前部開口にスピーカー線とアース線とを取り付ける際に前部開口を開閉するときに横にスライドして取り付けられることによって指が痛くなることのないスピーカー線の接続構造を提供することを目的としている。
【課題を解決するための手段】
【０００７】
本発明は、上記課題を解決するために提案されたものであって、請求項１に記載の発明は、スピーカーのスピーカー線とアース線とを、リアパネルに設けられた左右一対の接続端子を覆うように取り付けられた筐体状の取付部の左右一対の前部開口にそれぞれ差し込んだ後に、前記前部開口内でこれらの線を前記左右一対の接続端子に押圧して取り付けるようにしたスピーカー線の接続構造において、前記筐体状の取付部は、左右に長く形成され、前面に設けられた横長の大開口部に開閉ドア状体が左右移動可能に配設され、更にこの開閉ドア状体には前記左右一対の接続端子に対応する箇所に左右一対の前部開口が形成され、前記開閉ドア状体の後向き側壁と前記左右一対の接続端子の何れか一方との間にスプリングが介在されていて、前記開閉ドア状体の左右一対の前部開口が開いた状態で前記スピーカーのスピーカー線とアース線とが挿入された後に前記スプリングの付勢力で前記開閉ドア状体が前記左右一対の接続端子側に移動され、前記開閉ドア状体の左右一対の前部開口の開口縁と前記左右一対の接続端子の側面との間に、前記スピーカーのスピーカー線とアース線とが押圧保持されて前記左右一対の接続端子と接続された状態で前記筐体状の取付部に取り付けられるように構成したことを特徴としている。
【０００８】
請求項２に記載の発明は、スピーカーのスピーカー線とアース線とを、リアパネルに設けられた左右一対の接続端子を覆うように取り付けられた筐体状の取付部の左右一対の前部開口にそれぞれ差し込んだ後に、前記前部開口内でこれらの線を前記左右一対の接続端子に押圧して取り付けるようにしたスピーカー線の接続構造において、前記筐体状の取付部は、左右に長く形成され、前面に設けられた横長の大開口部に開閉ドア状体が左右移動可能に配設され、更にこの開閉ドア状体には前記左右一対の接続端子に対応する箇所に左右一対の前部開口が形成され、前記開閉ドア状体の一方側縁部と前記左右一対の接続端子の何れか一方との間に弾性体が介在されていて、前記開閉ドア状体の左右一対の前部開口が開いた状態で前記スピーカーのスピーカー線とアース線とが挿入された後に前記弾性体の付勢力で前記開閉ドア状体が前記左右一対の接続端子側に移動され、前記開閉ドア状体の左右一対の前部開口の開口縁と前記左右一対の接続端子の側面との間に、前記スピーカーのスピーカー線とアース線とが押圧保持されて前記左右一対の接続端子と接続された状態で前記筐体状の取付部に取り付けられるように構成したことを特徴としている。
【０００９】
請求項３に記載の発明は、前記左右一対の接続端子における前記スピーカーのスピーカー線とアース線とが接する側に鋸歯状の受け止め面が形成されているものである。
請求項４に記載の発明は、前記開閉ドア状体の一方の前部開口に、前記スピーカーのスピーカー線もしくはアース線のいずれか一方を仮止めするための係止溝が形成されているものである。
【００１０】
請求項５に記載の発明は、スピーカーのスピーカー線とアース線とを、リアパネルに設けられた左右一対の接続端子を覆うように取り付けられた筐体状の取付部の左右一対の開前部開口にそれぞれ差し込んだ後に、前記前部開口内でこれらの線を前記左右一対の接続端子に押圧して取り付けるようにしたスピーカー線の接続構造において、前記筐体状の取付部は、左右一対設けられ、前面に設けられた開口部に開閉ドア状体が左右移動可能にそれぞれ配設され、更にこれらの開閉ドア状体には前記左右一対の接続端子に対応する箇所にそれぞれ前部開口が形成され、前記開閉ドア状体の後向き側壁と前記左右一対の接続端子のそれぞれとの間にスプリングが介在されていて、前記開閉ドア状体のそれぞれの前部開口が開いた状態で前記スピーカーのスピーカー線とアース線とがそれぞれ挿入された後に前記スプリングの付勢力で前記開閉ドア状体が前記左右一対の接続端子側にそれぞれ移動され、前記開閉ドア状体のそれぞれの前部開口の開口縁と前記左右一対の接続端子の各側面との間に、前記スピーカーのスピーカー線とアース線とが押圧保持されて前記左右一対の接続端子と接続された状態で前記左右一対の筐体状の取付部にそれぞれ取り付けられるように構成したことを特徴としている。
【発明の効果】
【００１１】
請求項１に記載の発明は、スピーカーのスピーカー線とアース線とを、リアパネルに設けられた左右一対の接続端子を覆うように取り付けられた筐体状の取付部の左右一対の前部開口にそれぞれ差し込んだ後に、前部開口内でこれらの線を左右一対の接続端子に押圧して取り付けるようにしたスピーカー線の接続構造において、筐体状の取付部は、左右に長く形成され、前面に設けられた横長の大開口部に開閉ドア状体が左右移動可能に配設され、更にこの開閉ドア状体には左右一対の接続端子に対応する箇所に左右一対の前部開口が形成され、開閉ドア状体の後向き側壁と左右一対の接続端子の何れか一方との間にスプリングが介在されていて、開閉ドア状体の左右一対の前部開口が開いた状態でスピーカーのスピーカー線とアース線とが挿入された後にスプリングの付勢力で開閉ドア状体が左右一対の接続端子側に移動され、開閉ドア状体の左右一対の前部開口の開口縁と左右一対の接続端子の側面との間に、スピーカーのスピーカー線とアース線とが押圧保持されて左右一対の接続端子と接続された状態で筐体状の取付部に取り付けられるように構成したので、以下に述べる効果を奏する。
即ち、開閉ドア状体をスライドして左右移動する構造であるので、指が痛くなることがなく、取付作業を行い易い。また、指１本で開閉ドア状体を開いた状態でスピーカー線とアース線を各前部開口に挿入することができて、これらの線を挿入し易くすることができる。更に、スプリングが一本で済むので、従来２本使用していたスプリングの本数を削減することができて、コストダウンを図ることができる。
【００１２】
請求項２に記載の発明は、スピーカーのスピーカー線とアース線とを、リアパネルに設けられた左右一対の接続端子を覆うように取り付けられた筐体状の取付部の左右一対の前部開口にそれぞれ差し込んだ後に、前部開口内でこれらの線を左右一対の接続端子に押圧して取り付けるようにしたスピーカー線の接続構造において、筐体状の取付部は、左右に長く形成され、前面に設けられた横長の大開口部に開閉ドア状体が左右移動可能に配設され、更にこの開閉ドア状体には左右一対の接続端子に対応する箇所に左右一対の前部開口が形成され、開閉ドア状体の一方側縁部と左右一対の接続端子の何れか一方との間に弾性体が介在されていて、開閉ドア状体の左右一対の前部開口が開いた状態でスピーカーのスピーカー線とアース線とが挿入された後に前記弾性体の付勢力で開閉ドア状体が左右一対の接続端子側に移動され、開閉ドア状体の左右一対の前部開口の開口縁と左右一対の接続端子の側面との間に、スピーカーのスピーカー線とアース線とが押圧保持されて左右一対の接続端子と接続された状態で筐体状の取付部に取り付けられるように構成したので、以下に述べる効果を奏する。
即ち、開閉ドア状体をスライドして左右移動する構造であるので、指が痛くなることがなく、取付作業を行い易い。また、指１本で開閉ドア状体を開いた状態でスピーカー線とアース線を各前部開口に挿入することができて、これらの線を挿入し易くすることができる。さらに弾性体が一つで済むので、弾性体の数を削減することができて、コストダウンを図ることができる。
【００１３】
請求項３に記載の発明は、左右一対の接続端子におけるスピーカーのスピーカー線とアース線とが接する側に鋸歯状の受け止め面が形成されているので、スピーカー線とアース線の位置決めを行いながら、抜け止め状態でスピーカー線とアース線を確実に取り付けることができる。
請求項４に記載の発明は、開閉ドア状体の一方の前部開口に、スピーカーのスピーカー線もしくはアース線のいずれか一方を仮止めするための係止溝が形成されているので、片方の線を係止溝に挿入して位置決めした後に他方の線を挿入できるので、スピーカー線とアース線を一本ずつ挿入できて、挿入作業が行い易い。
【００１４】
請求項５に記載の発明は、スピーカーのスピーカー線とアース線とを、リアパネルに設けられた左右一対の接続端子を覆うように取り付けられた筐体状の取付部の左右一対の前部開口にそれぞれ差し込んだ後に、前部開口内でこれらの線を左右一対の接続端子に押圧して取り付けるようにしたスピーカー線の接続構造において、筐体状の取付部は、左右一対設けられ、前面に設けられた開口部に開閉ドア状体が左右移動可能にそれぞれ配設され、更にこれらの開閉ドア状体には左右一対の接続端子に対応する箇所にそれぞれ前部開口が形成され、開閉ドア状体の後向き側壁と左右一対の接続端子のそれぞれとの間にスプリングが介在されていて、開閉ドア状体のそれぞれの前部開口が開いた状態でスピーカーのスピーカー線とアース線とがそれぞれ挿入された後にスプリングの付勢力で開閉ドア状体が左右一対の接続端子側にそれぞれ移動され、開閉ドア状体のそれぞれの前部開口の開口縁と左右一対の接続端子の各側面との間に、スピーカーのスピーカー線とアース線とが押圧保持されて左右一対の接続端子と接続された状態で左右一対の筐体状の取付部にそれぞれ取り付けられるように構成したので、以下に述べる効果を奏する。
即ち、開閉ドア状体をそれぞれスライドして左右移動する構造であるので、指が痛くなることがなく、取付作業を行い易く、しかもスピーカー線とアース線を挿入し易い。
【発明を実施するための最良の形態】
【００１５】
以下、本発明に係るスピーカー線の接続構造の実施の形態について、図を参照しつつ説明する。
図１は本発明の第１実施形態のスピーカー線の接続構造におけるスピーカー線とアース線を挿入する前の状態の斜視図、図２は同接続構図におけるスピーカー線とアース線とを挿入して取り付けた状態の斜視図である。
【００１６】
この第１実施形態のスピーカーの接続構造は、図１、図２に示すように、リアパネル１の前面に左右に長い横長の筐体状の取付部２が設けられている。そして、この筐体状の取付部２にはその前面に横長の大開口部２ａが設けられ、この大開口部２ａに開閉ドア状体３が左右移動可能に配設されている。この開閉ドア状体３には、指で左右に開閉するための複数の段状部３ａが左縁近傍箇所に形成され、リアパネル１の前面に設けられた左右一対の接続端子４、５に対応する箇所に左右一対の前部開口３ｂ、３ｃが形成されている。
更に、開閉ドア状体３の右側に後向きに一体に突設された後ろ向き側壁３ｄと右側の接続端子５との間にスプリング６が介在されて開閉ドア状体３が右向きに移動するように付勢されている。
【００１７】
そして、図１に示すように、開閉ドア状体３の左右一対の前部開口３ｂ、３ｃが開いた状態でスピーカー７のスピーカー線８とアース線９とが前部開口３ｂ、３ｃに挿入された後に図２に示すようにスプリング６の付勢力で開閉ドア状体３が左右一対の接続端子側すなわち右側に移動される。この状態では開閉ドア状体３の左右一対の前部開口３ｂ、３ｃの開口縁と左右一対の接続端子４、５の側面との間に、スピーカー７のスピーカー線８とアース線９とが押圧保持されて左右一対の接続端子４、５と接続された状態で筐体状の取付部２に取り付けられるようになっている。
【００１８】
したがって、この第１実施形態によれば、開閉ドア状体３をスライドして左右移動する構造であるので、指が痛くなることがなく、取付作業を行い易い。また、指１本で開閉ドア状体３を開いた状態でスピーカー線８とアース線９を各前部開口３ｂ、３ｃに挿入することができて、これらの線を挿入し易くすることができる。更に、スプリング６が一本で済むので、従来２本使用していたスプリングの本数を削減することができて、コストダウンを図ることができる。
【００１９】
図３は第２実施形態のスピーカー線の接続構造を示す斜視図である。尚、第１実施形態における同一部材、同一箇所には同一符号を付してその説明を省略する。
この第２実施形態のスピーカー線の接続構造は、図３に示すように、左右一対の接続端子４、５におけるスピーカー線７のスピーカー線８とアース線９とが接する側に鋸歯状の受け止め面４ａ、５ａが形成されている。
そして、スピーカー線８とアース線９が前部開口３ｂ、３ｃに挿入されて開閉ドア状体３が閉められてときに、スピーカー線８とアース線９とが各接続端子４、５の鋸歯状の受け止め面４ａ、５ａと各前部開口３ｂ、３ｃとの間に挟まれて取り付けられるようになっている。
したがって、この第２実施形態によれば、鋸歯状の受け止め面４ａ、５ａでスピーカー線８とアース線９の位置決めを行いながら、抜け止め状態でスピーカー線８とアース線９を確実に取り付けることができる。
【００２０】
図４は第３実施形態のスピーカー線の接続構造を示す斜視図、図５は同接続構造の部分正面図である。尚、第１実施形態における同一部材、同一箇所には同一符号を付してその説明を省略する。
この第３実施形態のスピーカー線の接続構造は、図４、図５に示すように、開閉ドア状体３の左側の前部開口３ｂの左縁に略Ｕ字形の係止溝３ｅが形成されている。
そして、スピーカー線８を前部開口３ｂの係止溝３ｅに挿入して位置決めした後に３アース線９を挿入する。
この第３実施形態によれば、スピーカー線８とアース線９を一本ずつ挿入できて、挿入作業が行い易い。
【００２１】
図６は第４実施形態のスピーカー線の接続構造を示す斜視図である。
この第４実施形態のスピーカー線の接続構造は、図６に示すように、リアパネル１に左右一対の筐体状の取付部２Ａ、２Ｂが左右一対設けられ、前面に設けられた各開口部２ｂ、２ｃに開閉ドア状体３Ａ、３Ｂが左右移動可能にそれぞれ配接されている。更にこれらの開閉ドア状体３Ａ、３Ｂには左右一対の接続端子５、６に対応する箇所にそれぞれ前部開口３ｆ、３ｇが形成され、開閉ドア状体３Ａ、３Ｂの後向き側壁３ｈ、３ｉと左右一対の接続端子４、５のそれぞれとの間にスプリング６が介在されている。
【００２２】
そして、開閉ドア状体３Ａ、３Ｂのそれぞれの前部開口３ｆ、３ｇが開いた状態でスピーカー７のスピーカー線８とアース線９とがそれぞれ挿入された後にスプリング６の付勢力で開閉ドア状体３Ａ、３Ｂが左右一対の接続端子５、６側にそれぞれ移動される。そして、開閉ドア状体３Ａ、３Ｂのそれぞれの前部開口３ｆ、３ｇの開口縁と左右一対の接続端子４、５の各側面との間に、スピーカー７のスピーカー線８のアース線９とが押圧保持されて左右一対の接続端子４、５と接続された状態で左右一対の筐体状の取付部２Ａ、２Ｂにそれぞれ取り付けられるようにしている。
【００２３】
したがって、この第４実施形態によれば、開閉ドア状体３Ａ、３Ｂをそれぞれスライドして左右移動する構造であるので、指が痛くなることがなく、取付作業を行い易く、しかもスピーカー線８とアース線９を前部開口３ｆ、３ｇに挿入し易い。
【図面の簡単な説明】
【００２４】
【図１】第１実施形態のスピーカー線の接続構造におけるスピーカー線とアース線を挿入する前の状態の斜視図である。
【図２】同接続構造におけるスピーカー線とアース線とを挿入して取り付けた状態の斜視図である。
【図３】第２実施形態のスピーカー線の接続構造を示す斜視図である。
【図４】第３実施形態のスピーカー線の接続構造を示す斜視図である。
【図５】同接続構造の部分正面図である。
【図６】第４実施形態のスピーカー線の接続構造を示す斜視図である。
【図７】従来のスピーカー線の接続構造を示す斜視図である。
【図８】従来の押圧式ターミナル装置を示し、（ａ）はその正面図、（ｂ）は（ａ）におけるＡ−Ａ線断面図、（ｃ）はその導線の接続状態を示す（ａ）におけるＡ−Ａ線断面図である。
【図９】図８（ａ）中の密閉用凹部における合成樹脂の固着状態を示す背面図である。
【符号の説明】
【００２５】
１            リアパネル
２            筐体状の取付部
２Ａ          筐体状の取付部
２Ｂ          筐体状の取付部
２ａ          横長の大開口部
２ｂ          開口部
２ｃ          開口部
３            開閉ドア状体
３Ａ          開閉ドア状体
３Ｂ          開閉ドア状体
３ａ          複数の段状部
３ｂ          前部開口部
３ｃ          前部開口部
３ｄ          後ろ向き側壁
３ｅ          係止溝
３ｆ          前部開口
３ｇ          前部開口
３ｈ          後向き側壁
３ｉ          後向き側壁
４            接続端子
４ａ          受け止め面
５            接続端子
５ａ          鋸歯状の受け止め面
６            スプリング
７            スピーカー
８            スピーカー線
９            アース線
【図１】
2005108479.tif 000003
【図２】
2005108479.tif 000004
【図３】
2005108479.tif 000005
【図４】
2005108479.tif 000006
【図５】
2005108479.tif 000007
【図６】
2005108479.tif 000008
【図７】
2005108479.tif 000009
【図８】
2005108479.tif 000010
【図９】
2005108479.tif 000011